(57)【要約】【課題】番組表の中の各番組の詳細情報を同一画面に表示して容易に比較することができるようにする。【解決手段】リモコンを操作して番組表の中から例えば２つの番組を選択すると、各番組の詳細情報が画面を２つの領域に分割したそれぞれの領域に表示される。各詳細情報の対応する情報にはそれぞれ行カーソルが表示され、リモコンの操作によって各詳細情報の対応する情報に表示された各行カーソルを上下にそれぞれ連動して移動させることができる。【選択図】図１
2006287563.tif 000002
【特許請求の範囲】
【請求項１】
番組表の表示を制御する表示制御装置であって、
所定の画面に表示される番組表に対応する映像信号を生成する番組表生成手段と、
前記番組表の中の所定数の番組を選択する選択手段と、
前記選択手段によって選択された所定数の前記番組の詳細な情報を前記画面に所定数の領域に分けて表示する表示制御手段と、
前記所定数の領域に分けて表示された前記番組の詳細な情報の拡大表示が指示されたか否かを判定する判定手段と、
前記判定手段による判定結果に応じて、前記番組の情報を前記各領域内で拡大表示する拡大表示手段と
を備えることを特徴とする表示制御装置。
【請求項２】
番組表の表示を制御する表示制御装置であって、
所定の画面に表示される複数の番組セルからなる番組表に対応する映像信号を生成する番組表生成手段と、
前記番組表の中の所定数の番組を選択する選択手段と、
前記番組表の中の選択された前記所定数の番組をマーキングするために前記番組に対応する前記番組セル内に所定の図形を表示するマーキング手段と、
前記選択手段によって選択された所定数の前記番組の情報を前記画面に所定数の領域に分けて表示する表示制御手段と、
前記所定数の領域に表示された各番組の詳細な情報を構成する複数の項目のうち、同一項目をそれぞれ強調表示する強調表示手段と、
前記強調表示手段によって強調表示される前記項目の切り替えが指示されたか否かを判定する第１の判定手段と、
前記第１の判定手段による判定結果に応じて前記強調表示手段が強調表示する前記項目を切り替える切り替え手段と、
前記所定数の領域に分けて表示された前記番組の詳細な情報の拡大表示が指示されたか否かを判定する第２の判定手段と、
前記第２の判定手段による判定結果に応じて、前記番組の情報を前記各領域内で拡大表示する拡大表示手段と
を備えることを特徴とする表示制御装置。
【請求項３】
番組表の表示を制御する表示制御装置であって、
所定の画面に表示される複数の番組セルからなる番組表に対応する映像信号を生成する番組表生成手段と、
前記番組表の中の所定数の番組を選択する選択手段と、
前記番組表の中の選択された前記番組に対応する前記番組セルを拡大して半透明で表示する半透明拡大手段と、
前記選択手段によって選択された所定数の前記番組の情報を前記画面に所定数の領域に分けて表示する表示制御手段と、
前記所定数の領域に表示された各番組の詳細な情報を構成する複数の項目のうち、同一項目をそれぞれ強調表示する強調表示手段と、
前記強調表示手段によって強調表示される前記項目の切り替えが指示されたか否かを判定する第１の判定手段と、
前記第１の判定手段による判定結果に応じて前記強調表示手段が強調表示する前記項目を切り替える切り替え手段と、
前記所定数の領域に分けて表示された前記番組の詳細な情報の拡大表示が指示されたか否かを判定する第２の判定手段と、
前記第２の判定手段による判定結果に応じて、前記番組の情報を前記各領域内で拡大表示する拡大表示手段と
を備えることを特徴とする表示制御装置。
【請求項４】
番組表の表示を制御する表示制御装置であって、
所定の画面に表示される複数の番組セルからなる番組表に対応する映像信号を生成する番組表生成手段と、
前記番組表の中の所定数の番組を順に選択する選択手段と、
前記番組表の中の選択された前記番組に対応する前記番組セルを拡大して半透明で表示する半透明拡大手段と、
前記選択手段によって選択された前記番組を特定する情報を前記画面の所定の領域に表示する特定情報表示手段と、
前記選択手段によって選択された所定数の前記番組の情報を前記画面に所定数の領域に分けて表示する表示制御手段と、
前記所定数の領域に表示された各番組の詳細な情報を構成する複数の項目のうち、同一項目をそれぞれ強調表示する強調表示手段と、
前記強調表示手段によって強調表示される前記項目の切り替えが指示されたか否かを判定する第１の判定手段と、
前記第１の判定手段による判定結果に応じて前記強調表示手段が強調表示する前記項目を切り替える切り替え手段と、
前記所定数の領域に分けて表示された前記番組の詳細な情報の拡大表示が指示されたか否かを判定する第２の判定手段と、
前記第２の判定手段による判定結果に応じて、前記番組の情報を前記各領域内で拡大表示する拡大表示手段と
を備えることを特徴とする表示制御装置。
【請求項５】
番組表の表示を制御する表示制御方法であって、
所定の画面に表示される番組表に対応する映像信号を生成する番組表生成ステップと、
前記番組表の中の所定数の番組を選択する選択ステップと、
前記選択ステップにおいて選択された所定数の前記番組の詳細な情報を前記画面に所定数の領域に分けて表示する表示制御ステップと、
前記所定数の領域に分けて表示された前記番組の詳細な情報の拡大表示が指示されたか否かを判定する判定ステップと、
前記判定ステップにおける判定結果に応じて、前記番組の情報を前記各領域内で拡大表示する拡大表示ステップと
を備えることを特徴とする表示制御方法。
【請求項６】
番組表の表示を制御する表示制御方法であって、
所定の画面に表示される複数の番組セルからなる番組表に対応する映像信号を生成する番組表生成ステップと、
前記番組表の中の所定数の番組を選択する選択ステップと、
前記番組表の中の選択された前記所定数の番組をマーキングするために前記番組に対応する前記番組セル内に所定の図形を表示するマーキングステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を備えることを特徴とする表示制御方法。
【請求項７】
番組表の表示を制御する表示制御方法であって、
所定の画面に表示される複数の番組セルからなる番組表に対応する映像信号を生成する番組表生成ステップと、
前記番組表の中の所定数の番組を選択する選択ステップと、
前記番組表の中の選択された前記番組に対応する前記番組セルを拡大して半透明で表示する半透明拡大ステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を備えることを特徴とする表示制御方法。
【請求項８】
番組表の表示を制御する表示制御方法であって、
所定の画面に表示される複数の番組セルからなる番組表に対応する映像信号を生成する番組表生成ステップと、
前記番組表の中の所定数の番組を順に選択する選択ステップと、
前記番組表の中の選択された前記番組に対応する前記番組セルを拡大して半透明で表示する半透明拡大ステップと、
前記選択ステップにおいて選択された前記番組を特定する情報を前記画面の所定の領域に表示する特定情報表示ステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を備えることを特徴とする表示制御方法。
【請求項９】
番組表を表示する表示制御装置を制御する表示制御プログラムであって、
所定の画面に表示される番組表に対応する映像信号を生成する番組表生成ステップと、
前記番組表の中の所定数の番組を選択する選択ステップと、
前記選択ステップにおいて選択された所定数の前記番組の詳細な情報を前記画面に所定数の領域に分けて表示する表示制御ステップと、
前記所定数の領域に分けて表示された前記番組の詳細な情報の拡大表示が指示されたか否かを判定する判定ステップと、
前記判定ステップにおける判定結果に応じて、前記番組の情報を前記各領域内で拡大表示する拡大表示ステップと
を表示制御装置に実行させることを特徴とする表示制御プログラム。
【請求項１０】
番組表を表示する表示制御装置を制御する表示制御プログラムであって、
所定の画面に表示される複数の番組セルからなる番組表に対応する映像信号を生成する番組表生成ステップと、
前記番組表の中の所定数の番組を選択する選択ステップと、
前記番組表の中の選択された前記所定数の番組をマーキングするために前記番組に対応する前記番組セル内に所定の図形を表示するマーキングステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を表示制御装置に実行させることを特徴とする表示制御プログラム。
【請求項１１】
番組表を表示する表示制御装置を制御する表示制御プログラムであって、
所定の画面に表示される複数の番組セルからなる番組表に対応する映像信号を生成する番組表生成ステップと、
前記番組表の中の所定数の番組を選択する選択ステップと、
前記番組表の中の選択された前記番組に対応する前記番組セルを拡大して半透明で表示する半透明拡大ステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を表示制御装置に実行させることを特徴とする表示制御プログラム。
【請求項１２】
番組表を表示する表示制御装置を制御する表示制御プログラムであって、
所定の画面に表示される複数の番組セルからなる番組表に対応する映像信号を生成する番組表生成ステップと、
前記番組表の中の所定数の番組を順に選択する選択ステップと、
前記番組表の中の選択された前記番組に対応する前記番組セルを拡大して半透明で表示する半透明拡大ステップと、
前記選択ステップにおいて選択された前記番組を特定する情報を前記画面の所定の領域に表示する特定情報表示ステップと、
前記選択ステップにおいて選択された所定数の前記番組の情報を前記画面に所定数の領域に分けて表示する表示制御ステップと、
前記所定数の領域に表示された各番組の詳細な情報を構成する複数の項目のうち、同一項目をそれぞれ強調表示する強調表示ステップと、
前記強調表示ステップにおいて強調表示される前記項目の切り替えが指示されたか否かを判定する第１の判定ステップと、
前記第１の判定ステップにおける判定結果に応じて前記強調表示ステップが強調表示する前記項目を切り替える切り替えステップと、
前記所定数の領域に分けて表示された前記番組の詳細な情報の拡大表示が指示されたか否かを判定する第２の判定ステップと、
前記第２の判定ステップにおける判定結果に応じて、前記番組の情報を前記各領域内で拡大表示する拡大表示ステップと
を表示制御装置に実行させることを特徴とする表示制御プログラム。
【発明の詳細な説明】
【技術分野】
【０００１】
本発明は表示制御装置に関し、特に、番組表を表示して所望の番組を選択する表示制御装置に関するものである。
【背景技術】
【０００２】
従来、番組表の中の所望の番組に関する詳細な情報を拡大して表示し、番組選択を容易にするものがあった。その際、例えば、視聴者が拡大して見たいと所望する番組内容が、当該番組表における表示位置を変更することなく、拡大して表示されるというもの（例えば、特許文献１参照）や、番組表ウィンドには番組表が表示され、拡大ウィンドには番組表ウィンドの番組表の中から選択された番組の番組名やチャンネルなどの番組に関する画像が番組表ウィンドのフォントよりも大きなフォントを用いて表示されるというもの（例えば、特許文献２参照）があった。また、番組表拡大指示があった場合、番組表上に拡大部分特定枠を表示し、決定キー入力で番組表の特定枠部分を拡大して表示するというものがある（例えば、特許文献３参照）。また、番組表に含まれる番組名のうち、詳細な情報を表示したい番組名にマウスカーソルを合わせ、マウスボタンをクリックすると、番組表が当該番組名の表示欄に対応してチャンネル軸方向及び時間軸方向に拡大されて表示されるというものがある（例えば、特許文献４参照）。さらに、操作者が確認したい放送局の番組の番組内容を表示画面の見やすい位置に配置することができ、見比べたい２つの番組内容を隣り合うように表示することができる。また画面をスクロール表示する必要がなく、操作者が内容を確認したい複数の番組内容を一画面に表示することができるというものがあった（例えば、特許文献５参照）。
【特許文献１】特開２００２−３００４９２号公報
【特許文献２】特開２００１−１３６４５５号公報
【特許文献３】特開２００１−０２４９６１号公報
【特許文献４】特開平１１−１５５１１０号公報
【特許文献５】特開２００４−０２３６３６号公報
【発明の開示】
【発明が解決しようとする課題】
【０００３】
しかしながら、従来の技術では、番組表の中の複数の番組の詳細な情報を同一画面内に拡大表示することはできるが、その情報を容易に比較する手段が提供されていないという問題があった。
本発明はこのような状況に鑑みてなされたものであり、番組表の中から選択した複数の番組の詳細な情報を表示し、各番組の情報を容易に比較することができるようにするものである。
【課題を解決するための手段】
【０００４】
請求項１に記載の表示制御装置は、番組表の表示を制御する表示制御装置であって、所定の画面に表示される番組表に対応する映像信号を生成する番組表生成手段と、番組表の中の所定数の番組を選択する選択手段と、選択手段によって選択された所定数の番組の詳細な情報を画面に所定数の領域に分けて表示する表示制御手段と、所定数の領域に分けて表示された番組の詳細な情報の拡大表示が指示されたか否かを判定する判定手段と、判定手段による判定結果に応じて、番組の情報を各領域内で拡大表示する拡大表示手段とを備えることを特徴とする。
請求項２に記載の表示制御装置は、番組表の表示を制御する表示制御装置であって、所定の画面に表示される複数の番組セルからなる番組表に対応する映像信号を生成する番組表生成手段と、番組表の中の所定数の番組を選択する選択手段と、番組表の中の選択された所定数の番組をマーキングするために番組に対応する番組セル内に所定の図形を表示するマーキング手段と、選択手段によって選択された所定数の番組の情報を画面に所定数の領域に分けて表示する表示制御手段と、所定数の領域に表示された各番組の詳細な情報を構成する複数の項目のうち、同一項目をそれぞれ強調表示する強調表示手段と、強調表示手段によって強調表示される項目の切り替えが指示されたか否かを判定する第１の判定手段と、第１の判定手段による判定結果に応じて強調表示手段が強調表示する項目を切り替える切り替え手段と、所定数の領域に分けて表示された番組の詳細な情報の拡大表示が指示されたか否かを判定する第２の判定手段と、第２の判定手段による判定結果に応じて、番組の情報を各領域内で拡大表示する拡大表示手段とを備えることを特徴とする。
請求項３に記載の表示制御装置は、番組表の表示を制御する表示制御装置であって、所定の画面に表示される複数の番組セルからなる番組表に対応する映像信号を生成する番組表生成手段と、番組表の中の所定数の番組を選択する選択手段と、番組表の中の選択された番組に対応する番組セルを拡大して半透明で表示する半透明拡大手段と、選択手段によって選択された所定数の番組の情報を画面に所定数の領域に分けて表示する表示制御手段と、所定数の領域に表示された各番組の詳細な情報を構成する複数の項目のうち、同一項目をそれぞれ強調表示する強調表示手段と、強調表示手段によって強調表示される項目の切り替えが指示されたか否かを判定する第１の判定手段と、第１の判定手段による判定結果に応じて強調表示手段が強調表示する項目を切り替える切り替え手段と、所定数の領域に分けて表示された番組の詳細な情報の拡大表示が指示されたか否かを判定する第２の判定手段と、第２の判定手段による判定結果に応じて、番組の情報を各領域内で拡大表示する拡大表示手段とを備えることを特徴とする。
請求項４に記載の表示制御装置は、番組表の表示を制御する表示制御装置であって、所定の画面に表示される複数の番組セルからなる番組表に対応する映像信号を生成する番組表生成手段と、番組表の中の所定数の番組を順に選択する選択手段と、番組表の中の選択された番組に対応する番組セルを拡大して半透明で表示する半透明拡大手段と、選択手段によって選択された番組を特定する情報を画面の所定の領域に表示する特定情報表示手段と、選択手段によって選択された所定数の番組の情報を画面に所定数の領域に分けて表示する表示制御手段と、所定数の領域に表示された各番組の詳細な情報を構成する複数の項目のうち、同一項目をそれぞれ強調表示する強調表示手段と、強調表示手段によって強調表示される項目の切り替えが指示されたか否かを判定する第１の判定手段と、第１の判定手段による判定結果に応じて強調表示手段が強調表示する項目を切り替える切り替え手段と、所定数の領域に分けて表示された番組の詳細な情報の拡大表示が指示されたか否かを判定する第２の判定手段と、第２の判定手段による判定結果に応じて、番組の情報を各領域内で拡大表示する拡大表示手段とを備えることを特徴とする。
請求項５に記載の表示制御方法は、番組表の表示を制御する表示制御方法であって、所定の画面に表示される番組表に対応する映像信号を生成する番組表生成ステップと、番組表の中の所定数の番組を選択する選択ステップと、選択ステップにおいて選択された所定数の番組の詳細な情報を画面に所定数の領域に分けて表示する表示制御ステップと、所定数の領域に分けて表示された番組の詳細な情報の拡大表示が指示されたか否かを判定する判定ステップと、判定ステップにおける判定結果に応じて、番組の情報を各領域内で拡大表示する拡大表示ステップと、を備えることを特徴とする。
請求項６に記載の表示制御方法は、番組表の表示を制御する表示制御方法であって、所定の画面に表示される複数の番組セルからなる番組表に対応する映像信号を生成する番組表生成ステップと、番組表の中の所定数の番組を選択する選択ステップと、番組表の中の選択された所定数の番組をマーキングするために番組に対応する番組セル内に所定の図形を表示するマーキングステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを備えることを特徴とする。
請求項７に記載の表示制御方法は、番組表の表示を制御する表示制御方法であって、所定の画面に表示される複数の番組セルからなる番組表に対応する映像信号を生成する番組表生成ステップと、番組表の中の所定数の番組を選択する選択ステップと、番組表の中の選択された番組に対応する番組セルを拡大して半透明で表示する半透明拡大ステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを備えることを特徴とする。
請求項８に記載の表示制御方法は、番組表の表示を制御する表示制御方法であって、所定の画面に表示される複数の番組セルからなる番組表に対応する映像信号を生成する番組表生成ステップと、番組表の中の所定数の番組を順に選択する選択ステップと、番組表の中の選択された番組に対応する番組セルを拡大して半透明で表示する半透明拡大ステップと、選択ステップにおいて選択された番組を特定する情報を画面の所定の領域に表示する特定情報表示ステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを備えることを特徴とする。
請求項９に記載の表示制御プログラムは、番組表を表示する表示制御装置を制御する表示制御プログラムであって、所定の画面に表示される番組表に対応する映像信号を生成する番組表生成ステップと、番組表の中の所定数の番組を選択する選択ステップと、選択ステップにおいて選択された所定数の番組の詳細な情報を画面に所定数の領域に分けて表示する表示制御ステップと、所定数の領域に分けて表示された番組の詳細な情報の拡大表示が指示されたか否かを判定する判定ステップと、判定ステップにおける判定結果に応じて、番組の情報を各領域内で拡大表示する拡大表示ステップとを表示制御装置に実行させることを特徴とする。
請求項１０に記載の表示制御プログラムは、番組表を表示する表示制御装置を制御する表示制御プログラムであって、所定の画面に表示される複数の番組セルからなる番組表に対応する映像信号を生成する番組表生成ステップと、番組表の中の所定数の番組を選択する選択ステップと、番組表の中の選択された所定数の番組をマーキングするために番組に対応する番組セル内に所定の図形を表示するマーキングステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを表示制御装置に実行させることを特徴とする。
請求項１１に記載の表示制御プログラムは、番組表を表示する表示制御装置を制御する表示制御プログラムであって、所定の画面に表示される複数の番組セルからなる番組表に対応する映像信号を生成する番組表生成ステップと、番組表の中の所定数の番組を選択する選択ステップと、番組表の中の選択された番組に対応する番組セルを拡大して半透明で表示する半透明拡大ステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを表示制御装置に実行させることを特徴とする。
請求項１２に記載の表示制御プログラムは、番組表を表示する表示制御装置を制御する表示制御プログラムであって、所定の画面に表示される複数の番組セルからなる番組表に対応する映像信号を生成する番組表生成ステップと、番組表の中の所定数の番組を順に選択する選択ステップと、番組表の中の選択された番組に対応する番組セルを拡大して半透明で表示する半透明拡大ステップと、選択ステップにおいて選択された番組を特定する情報を画面の所定の領域に表示する特定情報表示ステップと、選択ステップにおいて選択された所定数の番組の情報を画面に所定数の領域に分けて表示する表示制御ステップと、所定数の領域に表示された各番組の詳細な情報を構成する複数の項目のうち、同一項目をそれぞれ強調表示する強調表示ステップと、強調表示ステップにおいて強調表示される項目の切り替えが指示されたか否かを判定する第１の判定ステップと、第１の判定ステップにおける判定結果に応じて強調表示ステップが強調表示する項目を切り替える切り替えステップと、所定数の領域に分けて表示された番組の詳細な情報の拡大表示が指示されたか否かを判定する第２の判定ステップと、第２の判定ステップにおける判定結果に応じて、番組の情報を各領域内で拡大表示する拡大表示ステップとを表示制御装置に実行させることを特徴とする。
【発明の効果】
【０００５】
本発明の表示制御装置によれば、番組表の中から選択した複数の番組の詳細な情報を拡大表示するようにしたので、番組の詳細な情報を容易に知ることができる。また、複数の番組の詳細な情報を同一画面内に同時に拡大表示し、対応する項目を強調表示することができるので、各番組の情報を項目毎に容易に比較することができる。
【発明を実施するための最良の形態】
【０００６】
図１は、本発明が適用されるリモートコントローラ（以下リモコンと略記する）の一実施の形態を示す外観図である。同図に示すように、リモコン１００は、後述する表示装置２２０の画面に表示されたフォーカスの上方向への移動、行カーソルの上方向への移動、ページの上方向への移動等を指示するための上キー１２１と、フォーカスの下方向への移動、行カーソルの下方向への移動、ページの下方向への移動等を指示するための下キー１２２と、フォーカスの左方向への移動等を指示するための左キー１２３と、フォーカスの右方向への移動等を指示するための右キー１２４等から構成されている。また、これはカーソル移動という動作を実現するにあたっての操作手段の一つであって、対象となるフォーカス移動手段としては、例としてジョグダイヤル、レバー、タッチパネル、トラックボールなど、カーソル移動指示が可能なコントロール手段を包含するものとする。
【０００７】
図２は、図１に示したリモコン１００の構成例を示すブロック図である。同図に示すように、リモコン１００は、上キー１２１と、下キー１２２と、左キー１２３と、右キー１２４と、インタフェース１０３と、制御部１０５と、ＬＥＤ（Light Emitting Diode）制御部１０６と、ＬＥＤ１０７と、発光制御部１１０と、発光部１１１等から構成されている。
【０００８】
制御部１０５は、上キー１２１、下キー１２２、左キー１２３、右キー１２４、およびルーペキー１２５の所定のものが操作されると、操作されたものに対応して各部を制御し、各種処理を実行するようになっている。
【０００９】
ＬＥＤ制御部１０６は、ＬＥＤ１０７を制御し、ＬＥＤ１０７の発光を制御するようになっている。ＬＥＤ１０７は、ＬＥＤ制御部１０６の制御により発光するようになっている。発光制御部１１０は、所定のデータやコマンドに対応する制御信号を発光部１１１に供給し、発光部１１１の発光を制御するようになっている。発光部１１１は、発光制御部１１０から供給された制御信号に従って赤外線を発光し、所定のデータやコマンドを送信するようになっている。
【００１０】
図３は、図１のリモコン１００によって制御可能なテレビジョン受像機２００の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０と、映像信号処理部２１１と、音声信号処理部２１２と、映像出力処理部２１３と、音声出力処理部２１４と、表示部２２０と、スピーカ２３０等から構成されている。
【００１１】
受光部２０１は、リモコン１００の発光部１１１より出射された赤外線を受光し、対応する電気信号に変換した後、Ｉ／Ｆ２０２に供給するようになっている。Ｉ／Ｆ２０２は、受光部２０１より供給された電気信号に対応する制御データを制御部２０３に供給するようになっている。制御部２０３は、Ｉ／Ｆ２０２より供給された制御データに基づいて各部を制御し、リモコン１００の操作に対応する各種処理を実行するようになっている。後述する番組表の表示や、番組の選択、番組詳細情報の表示、行カーソルの表示、その他ユーザインタフェースの制御等の各種制御は制御部２０３が各部を制御することによって行う。
【００１２】
オーバレイグラフィック処理部２０４は、制御部２０３の制御下、映像に重ね合わせる文字や図形からなるオーバレイグラフィックを生成し、映像出力処理部２１３に供給するようになっている。
【００１３】
音声処理部２０６は、制御部２０３からの指令に基づいて音声信号を生成し、音声出力処理部２１４に供給するようになっている。
【００１４】
チューナ２１０は、図示しないアンテナによって受信された受信信号から所定のチャンネルの映像音声信号を抽出し、映像信号を映像信号処理部２１１に供給し、音声信号を音声信号処理部２１２に供給するようになっている。
【００１５】
映像信号処理部２１１は、チューナ２１０より供給された映像信号に対して所定の処理を施した後、映像出力処理部２１３に供給するようになっている。また、映像信号に重畳された電子番組表を示す電子番組表データを抽出し、制御部２０３に供給するようになっている。音声信号処理部２１２は、チューナ２１０より供給された音声信号に対して所定の処理を施した後、音声出力処理部２１４に供給するようになっている。
【００１６】
映像出力処理部２１３は、オーバレイグラフィック処理部２０４によって生成されたオーバレイグラフィックを映像信号処理部２１１より供給された映像信号に重ね合わせた合成映像信号を生成し、表示部２２０に供給するようになっている。表示部２２０は、映像出力処理部２１３より供給された合成映像信号に対応する映像を画面に表示するようになっている。
【００１７】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００１８】
次に、図４乃至図９を参照して、番組表の中の２つの番組を比較する第１の方法について説明する。図４は、テレビジョン受像機２００の表示部２２０に表示された番組表の表示例を示している。この番組表は、各放送局の情報が表示される放送局表示領域と、各放送局で放送される番組の情報が表示される番組情報表示領域と、選択された番組に関する基礎情報が表示される基礎情報表示領域等により構成されている。
【００１９】
放送局表示領域には、各放送局の放送局アイコン、放送局名、およびチャンネル番号などチャンネル情報（例えば、チャンネル番号の他にお好みチャンネルアイコンなど）が表示される矩形の領域（以下では適宜放送局セルと記載する）が例えば画面の左隅に縦方向に並べて表示される。
【００２０】
番組情報表示領域には、各放送局毎に、各放送局で放送される番組の番組情報アイコンおよび番組名とが表示される矩形の領域（以下では適宜番組セルと記載する）が放送開始時刻の順に時間軸上（右方向が未来を表す）に並べて表示される。この番組セルの左の辺の時間軸上での位置が放送開始時刻を表し、右の辺の位置が放送終了時刻を表している。
なお、図４等に示した画面表示の構成は、番組表表示の一例であって、他にも新聞等のラジオ/テレビ欄方式など、番組表として機能する画面表示の構成であるならば、本特許の適用対象となる。
【００２１】
基礎情報表示領域は、画面上部に設けられ、現在選択されている番組に関する基礎情報（放送局アイコン、放送局名、チャンネル番号、時間帯、番組情報アイコン、番組名、コピー許可情報等）が表示される。
【００２２】
番組情報表示領域に表示された各番組は、リモコン１００の上キー１２１、下キー１２２、左キー１２３、および右キー１２４を操作して選択することができる。即ち、リモコン１００の上キー１２１、下キー１２２、左キー１２３、および右キー１２４を操作すると、操作に応じてフォーカス状態になる番組セルが上下左右に切り替わる。フォーカス状態になった番組セルは、その背景色および文字色が変化する。それに伴って、その番組セルに対応する番組が放送される放送局の放送局セルの背景色および文字色も変化する。
【００２３】
また、フォーカス状態になった番組セルの各辺には、リモコン１００の上キー１２１、下キー１２２、左キー１２３、および右キー１２４の操作と連動して、フォーカスされる番組が切り替わる向きを表す矢印が表示される。
【００２４】
所定の番組セルがフォーカスされた状態で、リモコン１００のルーペキー１２５を操作すると、図５に示すように、番組表が画面の下半分の領域に圧縮表示され、画面の上半分の領域にフォーカスされた番組セルに対応する番組の詳細な情報（番組詳細情報）が表示される。
【００２５】
番組詳細情報は、例えば、チャンネル情報（放送局アイコン、放送局名、チャンネル番号）、番組情報（時間帯、番組情報アイコン（ジャンル、再放送等）、番組名、コピー許可情報アイコン（コピーワンス等）、番組解説文、出演者情報等）、入力情報（映像情報（１１２５ｉ等）、音声情報（ステレオ／モノラル等）、視聴制限情報／ジャンル情報、コピー許可情報（光出力録画１回のみ等）、その他の情報（番組が持っているメタ情報等）等で構成される。
【００２６】
ここで、ルーペキー１２５を操作すると、図６に示すように、番組詳細情報が拡大表示され、番組詳細情報の各情報を行毎に指示する行カーソル（ここでは一実施例として、文字列を囲む帯状の半透明のカーソル）が表示される。
【００２７】
次に、図７に示すように、リモコン１００の上キー１２１、下キー１２２、左キー１２３、右キー１２４を操作して、画面の下半分の領域に圧縮表示された番組表の中から所望の番組セルを選択し、ルーペキー１２５を操作すると、図８に示すように、選択された番組セルに対応する番組の番組詳細情報が画面の下半分に表示される。即ち、２つの番組の番組詳細情報が画面の上半分の領域と下半分の領域（または、左半分の領域と右半分の領域）にそれぞれ表示される。
【００２８】
また、画面の上半分の領域に表示された番組詳細情報と、画面の下半分の領域に表示された番組詳細情報の対応する情報の対応する行に行カーソルがそれぞれ表示される。リモコン１００の上キー１２１と下キー１２２を操作すると、各番組詳細情報の対応する情報の対応する行に表示された行カーソルが連動して移動する。行カーソルが行末に移動すると、次のページに移動する。また、行カーソルが行頭に移動すると、前のページに移動する。
【００２９】
図８の画面において、ルーペキー１２５を操作すると、図９に示すように、各番組詳細情報の文字のサイズを変更することができる。この例では、ルーペキー１２５を操作する毎に、各番組詳細情報の文字のサイズが小から大、大から小へと切り替わる。なお、文字サイズの切り替えは、大きさが数段階に渡ってトグルで変化するもの、あるいは倍率選択によって変化するものなど、他の切り替えパターンも含むこととし、上記実施例に限定されない。
【００３０】
図９の画面において、リモコン１００の上キー１２１および下キー１２２を操作することにより、各番組詳細情報の対応する行に表示された行カーソルが連動して移動するので、２つの番組の詳細情報を効率的に比較検討することができる。
【００３１】
次に、図１０乃至図１３を参照して、２つの番組の詳細情報を比較する第２の方法について説明する。図１０は、図４の場合と同様に、テレビジョン受像機２００の表示部２２０に表示された番組表の表示例を示している。この番組表は、各放送局の情報が表示される放送局表示領域と、各放送局で放送される番組の情報が表示される番組情報表示領域と、選択された番組に関する基礎情報が表示される基礎情報表示領域等により構成されている。各領域の表示内容等は図４を参照して上述した場合と同様であるのでその説明は省略する。
【００３２】
図１０の画面に示すように、所定の番組セルがフォーカスされた状態で、リモコン１００の上キー１２１、下キー１２２、左キー１２３、および右キー１２４を操作することにより所望の番組セルを選択し、その番組セルがフォーカスされた状態でルーペキー１２５を操作すると、図１１に示すように、その番組セルが比較用に選択されたことを示す所定のアイコンが番組セル上に表示される。
【００３３】
図１１の画面において、リモコン１００の上キー１２１、下キー１２２、左キー１２３、および右キー１２４を操作することにより、さらに所望の番組セルを選択し、ルーペキー１２５を操作すると、その番組セルが選択され、比較用として２つの番組セルの選択が完了する。
【００３４】
その後、図１２に示すように、選択された各番組セルに対応する各番組の番組詳細情報がそれぞれ画面の上半分の領域と下半分の領域（または、左半分の領域と右半分の領域）にそれぞれ表示される。また、その際、各番組詳細情報の対応する情報の対応する行には行カーソルがそれぞれ表示される。また、リモコン１００の上キー１２１および下キー１２２を操作することにより、各番組詳細情報の対応する情報の対応する行に表示された各行カーソルが連動して移動する。
【００３５】
図１２の画面において、ルーペキー１２５を操作すると、図１３に示すように、各番組詳細情報の文字のサイズを変更することができる。この例では、ルーペキー１２５を操作する毎に、各番組詳細情報の文字のサイズが小から大、大から小へと切り替わる。なお、文字サイズの切り替えは、大きさが数段階に渡ってトグルで変化するもの、あるいは倍率選択によって変化するものなど、他の切り替えパターンも含むこととし、上記実施例に限定されない。
【００３６】
また、図１３の画面において、リモコン１００の上キー１２１および下キー１２２を操作することにより、各番組詳細情報の対応する行に表示された行カーソルが連動して移動するので、２つの番組の詳細情報を効率的に比較検討することができる。
【００３７】
次に、図１４乃至図１７を参照して、２つの番組の詳細情報を比較する第３の方法について説明する。図１４は、図４の場合と同様に、テレビジョン受像機２００の表示部２２０に表示された番組表の表示例を示している。この番組表は、各放送局の情報が表示される放送局表示領域と、各放送局で放送される番組の情報が表示される番組情報表示領域と、選択された番組に関する基礎情報が表示される基礎情報表示領域等により構成されている。各領域の表示内容等は図４を参照して上述した場合と同様であるのでその説明は省略する。
【００３８】
図１４の画面に示すように、所定の番組セルがフォーカスされた状態で、リモコン１００の上キー１２１、下キー１２２、左キー１２３、および右キー１２４を操作することにより所望の番組セルを選択し、その番組セルがフォーカスされた状態でルーペキー１２５を操作すると、図１５に示すように、選択された番組セル上に半透明の表示領域が出現し、その表示領域内に番組情報（番組情報アイコンと番組名等）が拡大表示される。
【００３９】
図１５の画面において、リモコン１００の上キー１２１、下キー１２２、左キー１２３、および右キー１２４を操作することにより、さらに所望の番組セルを選択し、ルーペキー１２５を操作すると、その番組セルが選択され、比較用として２つの番組セルの選択が完了する。
【００４０】
その後、図１６に示すように、選択された各番組セルに対応する各番組の番組詳細情報がそれぞれ画面の左半分の領域と右半分の領域（または、上半分の領域と下半分の領域）にそれぞれ表示される。また、その際、各番組詳細情報の対応する情報の対応する行には行カーソルがそれぞれ表示される。また、リモコン１００の上キー１２１および下キー１２２を操作することにより、各番組詳細情報の対応する情報の対応する行に表示された各行カーソルが連動して移動し、各番組情報を比較することができる。
【００４１】
図１６の画面において、ルーペキー１２５を操作すると、図１７に示すように、各番組詳細情報の文字のサイズを変更することができる。この例では、ルーペキー１２５を操作する毎に、各番組詳細情報の文字のサイズが小から大、大から小へと切り替わる。なお、文字サイズの切り替えは、大きさが数段階に渡ってトグルで変化するもの、あるいは倍率選択によって変化するものなど、他の切り替えパターンも含むこととし、上記実施例に限定されない。
【００４２】
また、図１７の画面において、リモコン１００の上キー１２１および下キー１２２を操作することにより、各番組詳細情報の対応する行に表示された行カーソルが連動して移動するので、２つの番組の詳細情報を効率的に比較検討することができる。
【００４３】
次に、図１８乃至図２４を参照して、３つの番組の詳細情報を比較する方法について説明する。図１４は、図４の場合と同様に、テレビジョン受像機２００の表示部２２０に表示された番組表の表示例を示している。この番組表は、各放送局の情報が表示される放送局表示領域と、各放送局で放送される番組の情報が表示される番組情報表示領域と、選択された番組に関する基礎情報が表示される基礎情報表示領域等により構成されている。各領域の表示内容等は図４を参照して上述した場合と同様であるのでその説明は省略する。
【００４４】
図１８の画面に示すように、所定の番組セルがフォーカスされた状態で、リモコン１００の上キー１２１、下キー１２２、左キー１２３、および右キー１２４を操作することにより所望の番組セルを選択し、その番組セルがフォーカスされた状態でルーペキー１２５を操作すると、図１９に示すように、フォーカスされた番組セルの中央に所定のルーペアイコン（ルーペの図形を表示したアイコン）が表示されるとともに、その番組セルを含む放送局行（その番組セルに対応する放送局の各番組が表示されている行）がフォーカスされ、画面上部に番組比較ピックアップ領域が出現する。
【００４５】
フォーカスされている放送局行の各番組セルは、番組情報を拡大表示して選択可能な状態となる。まず、図１９に示すように、図１８の画面において選択されていた番組セル上に半透明の表示領域が出現し、その表示領域内に番組情報（番組情報アイコンと番組名等）が拡大表示される。
【００４６】
図１９の画面において、リモコン１００の上キー１２１および下キー１２２を操作することにより、放送局の送り戻し（選択）とフォーカスの切り替えを行うことができ、左キー１２３および右キー１２４を操作することにより、放送局毎の番組の選択が可能となる。即ち、図２０に示すように、左右方向に番組セルが連なった番組帯がスライドする。ルーペアイコンの直下に移動した番組セルの番組情報が半透明の表示領域に拡大表示される。
【００４７】
また、図２１に示すように、番組情報がサムネイル画像を含む場合には、ルーペアイコンの直下に移動した番組セルに対応するサムネイル画像を拡大表示したり、番組のジャンルを示すジャンルアイコンを拡大表示したりすることができる。その際、ルーペアイコンに近い番組程、サムネイル画像を大きく表示することもできる。
【００４８】
次に、ルーペキー１２５を操作すると、ルーペアイコンの直下にある番組セルに対応する番組の選択が完了する。この番組は１つ目の比較用の番組として選択され、図２２に示すように、画面上部の番組比較ピックアップ領域に番組を特定する情報（例えば、日時、チャンネル番号、番組名等）が表示される。
【００４９】
さらに、同様の操作を行うことによって比較対象とする番組を最大３つまで選択することができる。比較対象とする番組の選択が終了した後、リモコン１００の図示しない「決定」キーを操作すると、図２３に示すように、選択された各番組の番組詳細情報が、画面を３つの領域に分割したそれぞれの領域に表示される。また、各領域に表示された番組詳細情報の対応する情報の対応する行にはそれぞれ行カーソルが表示される。
【００５０】
図２３の画面において、リモコン１００の上キー１２１および下キー１２２を操作すると、各番組詳細情報の対応する情報の対応する行に表示された各行カーソルが連動して移動する。
【００５１】
図２３の画面において、ルーペキー１２５を操作すると、図２４に示すように、各番組詳細情報の文字のサイズを変更することができる。この例では、ルーペキー１２５を操作する毎に、各番組詳細情報の文字のサイズが小から大、大から小へと切り替わる。なお、文字サイズの切り替えは、大きさが数段階に渡ってトグルで変化するもの、あるいは倍率選択によって変化するものなど、他の切り替えパターンも含むこととし、上記実施例に限定されない。
【００５２】
また、図２３または図２４の画面において、リモコン１００の上キー１２１および下キー１２２を操作することにより、各番組詳細情報の対応する行に表示された行カーソルが連動して移動するので、３つの番組の詳細情報を効率的に比較検討することができる。
【００５３】
なお、上記実施の形態の構成及び動作は例であって、本発明の趣旨を逸脱しない範囲で適宜変更することができることは言うまでもない。
【産業上の利用可能性】
【００５４】
本発明の活用例として、例えば、録画装置やカーナビゲーションシステム等における番組表の表示を制御する表示制御装置に本発明を適用することができる。
【図面の簡単な説明】
【００５５】
【図１】本発明におけるリモコンの一実施の形態の外観図である。
【図２】図１のリモコンの構成例を示すブロック図である。
【図３】図１のリモコンによって制御されるテレビジョン受像機の構成例を示すブロック図である。
【図４】表示部に表示された番組表選択画面の例を示す図である。
【図５】表示部に表示された番組表選択画面の例を示す図である。
【図６】表示部に表示された番組表選択画面の例を示す図である。
【図７】表示部に表示された番組表選択画面の例を示す図である。
【図８】表示部に表示された番組表選択画面の例を示す図である。
【図９】表示部に表示された番組表選択画面の例を示す図である。
【図１０】表示部に表示された番組表選択画面の例を示す図である。
【図１１】表示部に表示された番組表選択画面の例を示す図である。
【図１２】表示部に表示された番組表選択画面の例を示す図である。
【図１３】表示部に表示された番組表選択画面の例を示す図である。
【図１４】表示部に表示された番組表選択画面の例を示す図である。
【図１５】表示部に表示された番組表選択画面の例を示す図である。
【図１６】表示部に表示された番組表選択画面の例を示す図である。
【図１７】表示部に表示された番組表選択画面の例を示す図である。
【図１８】表示部に表示された番組表選択画面の例を示す図である。
【図１９】表示部に表示された番組表選択画面の例を示す図である。
【図２０】表示部に表示された番組表選択画面の例を示す図である。
【図２１】表示部に表示された番組表選択画面の例を示す図である。
【図２２】表示部に表示された番組表選択画面の例を示す図である。
【図２３】表示部に表示された番組表選択画面の例を示す図である。
【図２４】表示部に表示された番組表選択画面の例を示す図である。
【符号の説明】
【００５６】
１００  リモコン
１０３，２０２  インタフェース（Ｉ／Ｆ）
１０５，２０３  制御部
１０６  ＬＥＤ制御部
１０７  ＬＥＤ
１１０  発光制御部
１１１  発光部
１２１  上キー
１２２  下キー
１２３  左キー
１２４  右キー
１２５  ルーペキー
２００  テレビジョン受像機
２０１  受光部
２０４  オーバレイグラフィック処理部
２０６  音声処理部
２１０  チューナ
２１１  映像信号処理部
２１２  音声信号処理部
２１３  映像出力処理部
２１４  音声出力処理部
２２０  表示部
２３０  スピーカ
【図１】
2006287563.tif 000003
【図２】
2006287563.tif 000004
【図３】
2006287563.tif 000005
【図４】
2006287563.tif 000006
【図５】
2006287563.tif 000007
【図６】
2006287563.tif 000008
【図７】
2006287563.tif 000009
【図８】
2006287563.tif 000010
【図９】
2006287563.tif 000011
【図１０】
2006287563.tif 000012
【図１１】
2006287563.tif 000013
【図１２】
2006287563.tif 000014
【図１３】
2006287563.tif 000015
【図１４】
2006287563.tif 000016
【図１５】
2006287563.tif 000017
【図１６】
2006287563.tif 000018
【図１７】
2006287563.tif 000019
【図１８】
2006287563.tif 000020
【図１９】
2006287563.tif 000021
【図２０】
2006287563.tif 000022
【図２１】
2006287563.tif 000023
【図２２】
2006287563.tif 000024
【図２３】
2006287563.tif 000025
【図２４】
2006287563.tif 000026